(57)【要約】      （修正有）【課題】テーブルタップそのものの大きさをできるだけ大きくすることなく、可及的に多数の電源プラグ類を接続することができるテーブルタップを提供する。【解決手段】ホット側の電源と、コールド側の電源と、から電気の供給を受けるための電源プラグを複数配置するために、ホット側の刃と接続する複数の第１ホット側端子４０と、コールド側の刃と接続する複数の第１コールド側端子５０と、複数の第１ホット側端子４０と、複数の第１コールド側端子５０と、をそれぞれ交互、かつ、所定の間隔に配置した第１端子列２０と、ホット側の刃と接続する複数の第２ホット側端子６０と、コールド側の刃と接続する複数の第２コールド側端子７０と、複数の第２ホット側端子６０と、複数の第２コールド側端子７０と、をそれぞれ交互、かつ、所定の間隔に配置した第２端子列３０と、を有するテーブルタップである。【選択図】図２
0003217799.tif 000002
【実用新案登録請求の範囲】
【請求項１】
ホット側と接続するホット側の刃と、コールド側と接続するコールド側の刃と、を具備し、ホット側の電源と、コールド側の電源と、から電気の供給を受けるための電源プラグを複数配置するために、
前記ホット側の刃と接続するため、前記ホット側の電源と接続する複数の第１ホット側端子と、
前記コールド側の刃と接続するため、前記コールド側の電源と接続する複数の第１コールド側端子と、
前記複数の第１ホット側端子と、前記複数の第１コールド側端子と、をそれぞれ交互、かつ、所定の間隔に配置した第１端子列と、
前記ホット側の刃と接続するため、前記ホット側の電源と接続する複数の第２ホット側端子と、
前記コールド側の刃と接続するため、前記コールド側の電源と接続する複数の第２コールド側端子と、
前記複数の第２ホット側端子と、前記複数の第２コールド側端子と、をそれぞれ交互、かつ、所定の間隔に配置した第２端子列と、を有するテーブルタップ。
【請求項２】
前記複数の第１ホット側端子は、前記複数の第２ホット側端子と、それぞれ接続され、
前記複数の第１コールド側端子は、前記複数の第２コールド側端子と、それぞれ接続されている請求項１記載のテーブルタップ。
【請求項３】
前記テーブルタップは、一方の側面と他方の側面を具備する直方体形状を呈するケースをさらに有し、
前記第１端子列は、前記一方の側面に配置し、
前記第２端子列は、前記他方の側面に配置し、
前記一方の側面と、前記他方の側面は、互いに隣接する請求項１または２記載のテーブルタップ。
【請求項４】
前記テーブルタップは、一方の側面と他方の側面を具備する直方体形状を呈するケースをさらに有し、
前記第１端子列は、前記一方の側面に配置し、
前記第２端子列は、前記他方の側面に配置し、
前記一方の側面と、前記他方の側面は、互いに対向する請求項１または２記載のテーブルタップ。
【請求項５】
前記ホット側と接続した複数の第１ホット側端子と、
前記コールド側と接続した複数の第１コールド側端子と、のいずれか一方に、前記ホット側または前記コールド側との接続を切断するスイッチを設けた請求項１から４のいずれか１項記載のテーブルタップ。
【考案の詳細な説明】
【技術分野】
【０００１】
本考案は、電源プラグ類を接続する複数個の刃受け口をタップ本体の一面と他の面とに有し、各刃受け口の内部に端子列を備えた差込み位置の自由なテーブルタップに関するものである。
【背景技術】
【０００２】
家電製品を始めとする様々な電気機器を使用するために、テーブルタップが広く用いられている。テーブルタップは延長コードとも呼ばれており、室の壁面等に装備された所謂コンセントから離れた場所でも使用可能である。特に、マルチタップは複数対の刃受け口を有しており、その定格電圧及び定格電流の範囲内において複数台の電気機器を同時に使用することができる。
【０００３】
上記のような従来のテーブルタップ類は、タイプＡに属する電源プラグの場合、一対の刃を差込む二穴を一対とした刃受け口を有し、マルチタップでは二穴一対の刃受け口を単にとして隣接した刃受け口同士の間に適当な間隔を設けている。
【０００４】
しかし、第一導電体、第二導電体と呼ばれ刃受け口の内部にある端子列を一対とするものと、隣接する一対の端子列との間隔は、電源プラグの一対の刃の間隔よりも広く設定されている。このように、確認し得る従来のテーブルタップでは一対の刃受け口は一対ずつ独立して、隣接の刃受け口を共用できない構造になっている。
【０００５】
これを解決するものとして、特開２０１５−２３３０１６号公報において、一対の刃を有する電源プラグ類を接続するために、タップ本体の一面に複数個の刃受け口を有し、各刃受け口の内部に端子列を備えたテーブルタップであって、複数個の刃受け口は、電源プラグ類の一対の刃の並び方向へ一列に配列されており、かつ、隣接する刃受け口間の間隔が上記一対の刃の間隔と同一に設定するテーブルタップに関する本考案者がした発明が開示されている。
【０００６】
しかしながら、さらに多数の電源プラグ類を１のテーブルタップに接続したいという要望がある。この場合、このテーブルタップを大きくする必要があり、コンパクトにならずかさばるものとなる恐れがある。
【先行技術文献】
【特許文献】
【０００７】
【特許文献１】特開２０１５−２３３０１６号公報
【考案の開示】
【考案が解決しようとする課題】
【０００８】
本考案は前記の点に着目してなされたもので、その課題は、テーブルタップそのものの大きさをできるだけ大きくすることなく、可及的に多数の電源プラグ類を接続することができるテーブルタップを提供することを目的とする。
【０００９】
第１観点におけるテーブルタップは、ホット側と接続するホット側の刃と、コールド側と接続するコールド側の刃と、を具備し、ホット側の電源と、コールド側の電源と、から電気の供給を受けるための電源プラグを複数配置するために、ホット側の刃と接続するため、ホット側の電源と接続する複数の第１ホット側端子と、コールド側の刃と接続するため、コールド側の電源と接続する複数の第１コールド側端子と、複数の第１ホット側端子と、複数の第１コールド側端子と、をそれぞれ交互、かつ、所定の間隔に配置した第１端子列と、ホット側の刃と接続するため、ホット側の電源と接続する複数の第２ホット側端子と、コールド側の刃と接続するため、コールド側の電源と接続する複数の第２コールド側端子と、複数の第２ホット側端子と、複数の第２コールド側端子と、をそれぞれ交互、かつ、所定の間隔に配置した第２端子列と、を有するというものである。
【００１０】
第２観点におけるテーブルタップは、第１観点において、複数の第１ホット側端子は、複数の第２ホット側端子と、それぞれ接続され、複数の第１コールド側端子は、複数の第２コールド側端子と、それぞれ接続されているというものである。
【００１１】
第３観点におけるテーブルタップは、第１観点または第２観点において、テーブルタップは、一方の側面と他方の側面を具備する直方体形状を呈するケースをさらに有し、第１端子列は、一方の側面に配置し、第２端子列は、他方の側面に配置し、一方の側面と、他方の側面は、互いに隣接するというものである。
【００１２】
第４観点におけるテーブルタップは、第１観点または第２観点において、テーブルタップは、一方の側面と他方の側面を具備する直方体形状を呈するケースをさらに有し、第１端子列は、前記一方の側面に配置し、第２端子列は、前記他方の側面に配置し、一方の側面と、他方の側面は、互いに対向するというものである。
【００１３】
第５観点におけるテーブルタップは、第１観点から第４観点において、ホット側と接続した複数の第１ホット側端子と、コールド側と接続した複数の第１コールド側端子と、のいずれか一方に、ホット側またはコールド側との接続を切断するスイッチを設けたというものである。
【考案の効果】
【００１４】
本考案によれば、テーブルタップそのものの大きさをできるだけ大きくすることなく、可及的に多数の電源プラグ類を接続することができるテーブルタップを提供することができる。
【図面の簡単な説明】
【００１５】
【図１】第１実施例におけるテーブルタップの斜視図である。
【図２】Ａは、図１の平面図である。Ｂは、図１の側面図である。
【図３】第１実施例におけるテーブルタップの分解斜視図である。
【図４】Ａは、複数の第１ホット側端子と、ホット側端子板と、複数の第２ホット側端子との斜視図である。Ｂは、Ａの４Ｂ方向から見た側面図である。
【図５】Ａは、複数の第１コールド側端子と、コールド側端子板と、複数の第２コールド側端子との斜視図である。Ｂは、Ａの５Ｂ方向から見た側面図である。
【図６】中駒部の斜視図である。
【図７】Ａは、第２実施例におけるテーブルタップの正面斜視図である。Ｂは、第２実施例におけるテーブルタップの背面斜視図である。
【図８】Ａは、第３実施例におけるテーブルタップの正面斜視図である。Ｂは、第３実施例におけるテーブルタップの背面斜視図である。
【図９】Ａは、第３実施例におけるテーブルタップの側面図である。Ｂは、第３実施例におけるテーブルタップの平面図である。Ｃは、第３実施例におけるテーブルタップの側面図である。
【図１０】第３実施例におけるテーブルタップの分解斜視図である。
【図１１】Ａは、複数の他の第１ホット側端子と、他のホット側端子板と、複数の他の第２ホット側端子との斜視図である。Ｂは、Ａの１１Ｂ方向から見た側面図である。
【図１２】Ａは、複数の他の第１コールド側端子と、他のコールド側端子板と、複数の他の第２コールド側端子との斜視図である。Ｂは、Ａの１２Ｂ方向から見た側面図である。
【図１３】他の中駒部の斜視図である。
【考案を実施するための形態】
【００１６】
第１実施例におけるテーブルタップ１０について説明する。テーブルタップ１０は、いわゆる一対のホット側の刃５１０と、コールド側の刃５２０とを有する電源プラグ５００と、接続するためのものである。この、電源プラグ５００は、図示しない、ホット側の電源と、コールド側の電源と、から電気の供給を受けるためのものである。また、この電源プラグ５００を使用する電気機器については、厳密にホット側の刃５１０と、コールド側の刃５２０とを区別する必要はない場合が多い。従って、以下に述べるように、各構成において、ホット側と称する場合であっても必ずしも、ホット側と接続されず、コールド側と接続される場合も含むものである。またその場合は、コールド側と称する場合であっても、コールド側と接続されず、ホット側と接続される。
【００１７】
上記複数の電源プラグ５００と接続するために、テーブルタップ１０は、第１端子列２０と、第２端子列３０と、を有する。第１端子列２０は、図示しないコンセントのホット側と接続した複数の第１ホット側端子４０、４０、４０・・・と、図示しないコンセントのコールド側と接続した複数の第１コールド側端子５０、５０、５０・・・・と、を交互  
【００１８】
かつ、所定の間隔ｄを有するように配置されている（図１、２、３参照）。
また、複数の第１ホット側端子４０、４０、４０・・・は、それぞれ後述する複数の第２ホット側端子６０、６０、６０・・・を介して、ホット側端子板４５と接続されており、ホット側端子板４５は、テーブルタップ１０において、図示しないコンセントから、電気を取り入れるためのコード１００におけるホット側コード１１０に接続されている。また、複数の第１ホット側端子４０、４０、４０・・・と複数の第２ホット側端子６０、６０、６０・・・はそれぞれ一体に形成されている（図３、４参照）。いうなれば、複数の第１ホット側端子４０、４０、４０・・・と複数の第２ホット側端子６０、６０、６０・・・はそれぞれ一組となるように構成されている。
【００１９】
複数の第１ホット側端子４０と、ホット側端子板４５と、複数の第２ホット側端子６０とは、電気を通す導電体で構成されている。また、第１ホット側端子４０と第２ホット側端子６０は、先すぼまりのほぼＵの字状を呈しその先端の部分４１が弾性的に狭まるように構成されており、そのＵの字状の先端の部分４１は接触している。ホット側の刃５１０を挿したときにその先端の部分４１の狭まった部分に挟み込まれるように構成されている。
【００２０】
複数の第１コールド側端子５０、５０、５０・・・は、コールド側端子板５５と接続されており、コールド側端子板５５は、テーブルタップ１０において、電気を取り入れるためのコード１００におけるコールド側コード１２０に接続されている。また複数の第２コールド側端子７０、７０、７０・・・は、それぞれ複数の第１コールド側端子５０、５０、５０・・・と、それぞれ一体に形成されている（図３、４参照）。いうなれば複数の第１コールド側端子５０、５０、５０・・・と複数の第２コールド側端子７０、７０、７０・・・はそれぞれ一組となるように構成されている。
複数の第１コールド側端子５０とコールド側端子板５５と、複数の第２コールド側端子７０は、電気を通す導電体で構成されており、第１コールド側端子５０は、先すぼまりのほぼＵの字状を呈しその先端の部分５１が弾性的に狭まるように構成されており、そのＵの字状の先端の部分５１は接触している。コールド側の刃５２０を挿したときにその先端の部分５１の狭まった部分に挟み込まれるように構成されている。
【００２１】
上記のとおり電源プラグ５００は、それらと接続するためのいわゆる一対のホット側の刃５１０と、コールド側の刃５２０とを有している。上記電源プラグ５００はいわゆるコンセントに接続するタイプＡに属するプラグであり、日本国内用等としてＪＩＳＣ８３０３の規定を満たすものである。したがって、電源プラグ５００の一対のホット側の刃５１０と、コールド側の刃５２０は、所定の間隔ｄを有するものである。一対のホット側の刃５１０と、コールド側の刃５２０とはそれぞれ、平たい板状のものであり、それら一対のホット側の刃５１０と、が２個平行に設けられているので、その平たい刃板面が平行になり、その一対のホット側の刃５１０と、コールド側の刃５２０のそれぞれの刃板面に直交する方向へ、第１ホット側端子５０と第１コールド側端子６０とが、交互かつ上記の間隔ｄを有するように配置されている。
【００２２】
よって、上記構成の第１端子列２０における複数の第１ホット側端子４０、４０、４０・・・と、複数の第１コールド側端子５０、５０、５０・・・・と、は、それぞれ交互かつ所定の間隔ｄで配置されている。すなわち第１端子列２０は、第１ホット側端子４０、第１コールド側端子５０、第１ホット側端子４０、第１コールド側端子５０、第１ホット側端子４０、第１コールド側端子５０、第１ホット側端子４０、第１コールド側端子５０、第１ホット側端子４０、第１コールド側端子５０、第１ホット側端子４０の順に、それぞれ間隔ｄを有するように配置されている。このように第２ホット側端子６０と第２コールド側端子７０とが、交互かつ上記の間隔ｄで、配置されている。従って、第１端子列２０における複数の第１ホット側端子４０、４０、４０・・・と、複数の第１コールド側端子５０、５０，５０、・・・とのいずれかにホット側の刃５１０または、コールド側の刃５２０を挿すことができる。
【００２３】
複数の第２端子列３０・・・は、それぞれ、複数の第２ホット側端子６０、６０、６０・・・と、複数の第２コールド側端子７０、７０、７０・・・とを交互かつ所定の間隔ｄを有すように配置されている。第２ホット側端子６０は、電気を通す導電体で構成されており、先すぼまりのほぼＵの字状を呈しその先端の部分６１が弾性的に狭まるように構成されており、そのＵの字状の先端の部分６１は接触している。よって、ホット側の刃５１０を挿したときにその先端の部分６１の狭まった部分に挟み込まれるように構成されている。
【００２４】
複数の第２ホット側端子６０、６０、６０・・・は、ホット側端子板４５と接続されており、ホット側端子板４５は、テーブルタップ１０において、電気を取り入れるためのコード１００におけるホット側コード１１０に接続されている。また、上記のとおり複数の第１ホット側端子４０、４０、４０・・・は、複数の第２ホット側端子６０、６０、６０・・・とそれぞれ一組となるように接続されている。また、複数の第１ホット側端子４０、４０、４０・・・は、独立してホット側端子板を有しないために、コンパクトな構成とすることができる。すなわち、コールド側端子板５５を、複数の第１ホット側端子４０、４０、４０・・・と、複数の第２ホット側端子６０、６０、６０・・・とで共有するという構成である。
【００２５】
次に、第２ホット側端子６０は、電気を通す導電体で構成されており、先すぼまりのほぼＵの字状を呈しその先端の部分６１が弾性的に狭まるように構成されており、そのＵの字状の先端の部分６１は接触している。よって、その先端の部分にホット側の刃５１０を挿したときにその接触した部分に挟み込まれるように構成されている。
【００２６】
複数の第２コールド側端子７０、７０、７０・・・は、それぞれ、複数の第１コールド側端子５０、５０、５０・・・と一体化するように接続されている。上記のとおり、複数の第１コールド側端子５０、５０、５０・・・は、コールド側端子板５５と接続されており、コールド側端子板５５は、テーブルタップ１０において、電気を取り入れるためのコード１００におけるコールド側コード１２０に接続されている。上記のとおり、複数の第２コールド側端子７０、７０、７０・・・は、それぞれ、複数の第１コールド側端子５０、５０、５０・・・と一体化するように接続されているので、複数の第２コールド側端子７０、７０、７０・・・を有していても、複数の第２コールド側端子７０、７０、７０のためのコールド側端子板を有しないために、コンパクトな構成とすることができる。すなわち、コールド側端子板５５を、複数の第１コールド側端子５０、５０、５０・・・と、複数の第２コールド側端子７０、７０、７０・・・とで共有するという構成である。
【００２７】
第２コールド側端子７０は、電気を通す導電体で構成されており、先すぼまりのほぼＵの字状を呈しその先端の部分７１が弾性的に狭まるように構成されており、そのＵの字状の先端の部分７１は接触している。よって、コールド側の刃５２０を挿したときにその先端の部分７１の狭まった部分に挟み込まれるように構成されている。
【００２８】
上記のとおり、その一対のホット側の刃５１０と、コールド側の刃５２０のそれぞれの刃板面に直交する方向へ、第２ホット側端子６０と第２コールド側端子７０とが、交互かつ上記の間隔ｄを有するように配置されている。
【００２９】
よって、上記構成の第２端子列３０における複数の第２ホット側端子６０、６０、６０・・・と、複数の第２コールド側端子７０、７０、７０・・・・と、は、それぞれ交互かつ所定の間隔で配置されている。すなわち第２端子列３０は、第２ホット側端子６０、第２コールド側端子７０、第２ホット側端子６０、第２コールド側端子７０、第２ホット側端子６０、第２コールド側端子７０、第２ホット側端子６０、第２コールド側端子７０、第２ホット側端子６０、第２コールド側端子７０、第２ホット側端子６０の順に、それぞれ間隔ｄを有するように配置されている。また、上記電源プラグ５００が有する一対のホット側の刃５１０と、コールド側の刃５２０と、はそれぞれ、平たい板状のものである。
【００３０】
また、それら一対のホット側の刃５１０と、コールド側の刃５２０とが２個平行に設けられているので、その平たい刃板面が平行になり、その一対のホット側の刃５１０と、コールド側の刃５２０のそれぞれの刃板面に直交する方向へ、第２ホット側端子６０と第２コールド側端子７０とが、交互かつ上記の間隔ｄで、配置されている。従って、第２端子列３０における複数の第２ホット側端子６０、６０、６０・・・と、複数の第２コールド側端子７０、７０、７０・・・とのいずれかにホット側の刃５１０または、コールド側の刃５２０を挿すことができる。
【００３１】
中駒部８０は、複数のホット端子室８１とコールド端子室８２とを有し、ホット端子室８１に、第１ホット側端子４０と第２ホット側端子６０とをそれぞれ、配置する。また、コールド端子室８２に、第１コールド側端子５０と第２コールド側端子７０とをそれぞれ、交互に配置する。複数のホット端子室８１とコールド端子室８２の間に壁となる隔壁部８３を有するので、短絡することはない。このように複数のホット端子室８１とコールド端子室８２は、上記各端子を配置するためのスペースとなるものである。
【００３２】
テーブルタップ１０は、その外郭を構成するース２００を有し、上記第１端子列２０と、第２端子列３０と、は、それぞれ上記ケース２００に配置することができる。ケース２００は、第１ケース部２００ａと、第２ケース部２００ｂとを有し（図３参照）、それらが一体となったときに、端面２０１、２０１と４方の側面２１１、２１２、２１３、２１４とを有する直方体形状を呈し、その断面は、ほぼ正方形が好ましく、互いに隣接する側面２１１、２１２に、それぞれ、複数の開口部ａを有する。なお開口部ａの大きさは、ホット側の刃５１０またはコールド側の刃５２０が通過するのに充分な大きさであることが好ましい。
【００３３】
上記ケース２００に、中駒部８０を配置し、その中駒部８０のそれぞれのホット端子室８１に、複数の第１ホット側端子４０、４０、４０・・・と、第２ホット側端子６０、６０，６０・・・とを、それぞれ一組ずつ配置すると共に、それぞれのコールド端子室８２に複数の第１コールド側端子５０，５０，５０・・・と、第２コールド側端子７０，７０，７０・・・とをそれぞれ一組ずつ配置し、図示しない配線を配置し、スイッチ１２０を配置することで、テーブルタップ１０を組み立てることができる。
【００３４】
このように組み立てたテーブルタップ１０における側面２１１に配置した複数の開口部ａの内部にそれぞれ、第１端子列２０における第１ホット側端子４０、４０、４０・・・と、複数の第１コールド側端子５０、５０、５０とを交互に配置している。また、その開口部ａ同士の間隔は、間隔ｄを有するように配置されているので、上述のとおり、複数の電源プラグ５００をテーブルタップ１０における任意の位置に挿すことができる。
【００３５】
また、側面２１２に配置した複数の開口部ａの内部にそれぞれ、第２端子列３０における第２ホット側端子６０、６０、６０・・・と、複数の第２コールド側端子７０、７０、７０とを交互に配置している。開口部ａ同士の間隔は、間隔ｄを有するように配置されているので、上述のとおり、複数の電源プラグ５００をテーブルタップ１０における任意の位置に挿すことができる。
【００３６】
なお、上記のスイッチ１２０は、ホット側端子板４５とコード１００におけるホット側コード１１０との接続、またはコールド側端子板５５と、コールド側コード１２０との接続を切断するように配置することができる。スイッチ１２０の構成は公知である。
【００３７】
また、第１ホット側端子４０と、第２ホット側端子６０とは、互いにその先端の部分４１と６１とが、９０度異なる方向に向いている（図４ｂ参照）。また、第１コールド側端子５０と、第２コールド側端子７０と、は互いにその先端の部分５１と７１とが、９０度異なる方向に向いている（図５ｂ参照）。上記実施例においては、端子同士の間隔が最小となるので同数個の端子を持つ従来のタップに対して小型化可能であり、逆に従来のタップと同サイズの場合にはさらにより多くの端子を装備し得るテーブルタップ１０を提供することができる。なお、テーブルタップ１０は、上記のとおりホット側とコールド側を逆にしても使用できることは言うまでもない。
【００３８】
さらに第２実施例におけるテーブルタップ１２は、スイッチを配置せず、さらに開口部ａを増やした構成である。従って、第１端子列２０′は、第１ホット側端子４０と、第１コールド側端子５０とを交互に、配置し、第１ホット側端子４０は、９箇所配置し、第１コールド側端子５０は、８箇所、交互かつ所定の間隔ａを有するように配置することで、さらに多くのコンセント１００を配置することができる。
【００３９】
同様に、第２端子列３０′は、第２ホット側端子６０′と、第２コールド側端子７０′とを交互に、配置し、第１ホット側端子４０′は、９箇所配置し、第１コールド側端子５０′は、８箇所、交互かつ所定の間隔ａを有するように配置することで、さらに多くのコンセント１００を配置することができる。このように。第２テーブルタップ１２におけるケース２５０は、上記各端子を有するために、ケース２００よりも長尺である。なお、第２実施例におけるテーブルタップ１２についても、上記のとおりホット側とコールド側を逆にしても使用できることは言うまでもない。
【００４０】
この場合に、第１ホット側端子４０′と、第２ホット側端子６０′とは、図示しないが互いにその先端の部分が、９０度異なる方向に向いている。また、第１コールド側端子５０′と、第２コールド側端子７０′と、は互いにその先端の部分が、９０度異なる方向に向いている。従ってこれらの構成は、数量が異なることとスイッチを有しないこと以外に実質的な差異はない。
【００４１】
さらに第３実施例におけるテーブルタップ１３は、その外郭を構成するケース３００を有し、ケース３００は、上部３００ａと下部３００ｂとを有し、それらを組み合わせると端面３０１、３０１と４方の側面３１１、３１２、３１３、３１４とを有する直方体形状を呈する。また、その断面は、ほぼ正方形が好ましく、互いに対向する側面３１２、３１４に、それぞれ、複数の開口部ａを有し、側面３１２におけるその複数の開口部ａの内部にそれぞれ、他の第１端子列２０ｘにおいて、他の第１ホット側端子４０ｘ、４０ｘ、４０ｘ・・・と、複数の第１コールド側端子５０ｘ、５０ｘ、５０ｘとを交互に、間隔ｄを有するように配置する。
【００４２】
また、側面３１４に、それぞれ、複数の開口部ａを有し、側面３１４におけるその複数の開口部ａの内部にそれぞれ、第２端子列３０ｘにおいて、第２ホット側端子６０ｘ、６０ｘ、６０ｘ・・・と、複数の第２コールド側端子７０ｘ、７０ｘ、７０ｘとを交互に、間隔ｄを有するように配置する。
【００４３】
この場合に、他の第１ホット側端子４０ｘと、他の第２ホット側端子６０ｘとは、互いにその先端の部分４１ｘ、９１ｘが、１８０度異なる方向に向いて接続されている（図１１Ｂ参照）。その場合に、複数の他の第１ホット側端子４０ｘ・・・と、他の第２ホット側端子６０ｘ・・・と、をそれぞれ一体に形成することもできる（図１０、１１Ａ，Ｂ参照）。いうなれば、複数の他の第１ホット側端子４０ｘ、４０ｘ、４０ｘ・・・と複数の他の第２ホット側端子６０ｘ、６０ｘ、６０ｘ・・・はそれぞれ一組となるように構成されている。従って、複数の他の第２ホット側端子６０ｘ、６０ｘ、６０ｘ・・・は、独立してホット側端子板を必要としないために、コンパクトな構成とすることができる。
【００４４】
複数の他の第１ホット側端子４０ｘ、４０ｘ、４０ｘ・・・は、金属などの導電体を折り曲げ加工して構成されている。また、複数の他の第１ホット側端子４０ｘ、４０ｘ、４０ｘ・・・は、他のホット側端子板４５ｘと接続されており、他のホット側端子板４５ｘは、テーブルタップ１０において、図示しないコンセントから、電気を取り入れるための他のコード１００ｘにおける他のホット側コード１１０ｘに接続されている。
【００４５】
複数の他の第１コールド側端子５０ｘ、５０ｘ、５０ｘ・・・は、それぞれ後述する複数の他の第２コールド側端子７０ｘ、７０ｘ、７０ｘ・・・を介して、他のコールド側端子板５５ｘと接続されており、他のコールド側端子板５５ｘは、第３テーブルタップ１３において、電気を取り入れるための他のコード１００ｘにおける他のコールド側コード１２０ｘに接続されている。
【００４６】
また、他の第１コールド側端子５０ｘと、他の第２コールド側端子７０ｘと、は互いにその先端の部分５１ｘ、７１ｘが、１８０度異なる方向に向いて構成されている（図１２Ｂ参照）。また、複数の他の第１コールド側端子５０ｘ・・・と、複数の他の第２コールド側端子７０ｘ・・・とがそれぞれ一体に形成することもできる（図１０、図１２Ａ、Ｂ参照）。いうなれば、複数の他の第１コールド側端子５０ｘ、５０ｘ、５０ｘ・・・と複数の他の第２コールド側端子７０ｘ、７０ｘ、７０ｘ・・・はそれぞれ一組となるように構成されている。従って、複数の他の第２コールド側端子７０ｘ、７０ｘ、７０ｘ・・・を有していても、独立してコールド側端子板を有しないために、コンパクトな構成とすることができる。
【００４７】
また、他の中駒部８０ｘは、複数の他のホット端子室８１ｘと複数の他のコールド端子室８２ｘとを有し、複数の他のホット端子室８１ｘに、複数の他の第１ホット側端子４０ｘと複数の他の第２ホット側端子６０ｘとをそれぞれ、配置する。また、複数の他のコールド端子室８２に、複数の他の第１コールド側端子５０ｘと複数の他の第２コールド側端子７０ｘとをそれぞれ、交互に配置する。複数の他のホット端子室８１ｘと複数の他のコールド端子室８２ｘとの間に壁となる他の隔壁部８３ｘを有するので、短絡することはない。このように複数の他のホット端子室８１ｘと複数の他のコールド端子室８２ｘは、上記各端子を配置するためのスペースとなるものである。
【００４８】
上記構成の他の第１端子列２０ｘと、上記構成の他の第２端子列３０ｘとの構成は、第１端子列２０と、第２端子列３０の構成とほぼ同様である。従って、複数の第１ホット側端子４０ｘ，４０ｘ，４０ｘと第１コールド側端子５０ｘ、５０ｘ，５０ｘ、・・・とのいずれかにホット側の刃５１０または、コールド側の刃５２０を挿すことができる。また、第２端子列３０における複数の第２ホット側端子６０、６０、６０・・・と、複数の第２コールド側端子７０、７０、７０・・・とのいずれかにホット側の刃５１０または、コールド側の刃５２０を挿すことができる。なお、第３テーブルタップ１３についても、上記のとおりホット側とコールド側を逆にしても使用できることは言うまでもない。
【符号の説明】
【００４９】
１０  第１実施例におけるテーブルタップ
１２  第２実施例におけるテーブルタップ
１３  第３実施例におけるテーブルタップ
２０  第１端子列
２０ｘ  他の第１端子列
３０  第２端子列
３０ｘ  他の第２端子列
４０  第１ホット側端子
４０ｘ  他の第１ホット側端子
４５  ホット側端子板
４５ｘ  他のホット側端子板
５０  第１コールド側端子
５０ｘ  他の第１コールド側端子
５５  コールド側端子板
５５ｘ  他のコールド側端子板
６０  第２ホット側端子
６０ｘ  他の第２ホット側端子
７０  第２コールド側端子
７０ｘ  他の第２コールド側端子
８０  中駒部
８０ｘ  他の中駒部
２００，３００  ケース
５００  電源プラグ
５１０  ホット側の刃
５２０  コールド側の刃
ａ  開口部
ｄ  間隔
【図１】
0003217799.tif 000003
【図２】
0003217799.tif 000004
【図３】
0003217799.tif 000005
【図４】
0003217799.tif 000006
【図５】
0003217799.tif 000007
【図６】
0003217799.tif 000008
【図７】
0003217799.tif 000009
【図８】
0003217799.tif 000010
【図９】
0003217799.tif 000011
【図１０】
0003217799.tif 000012
【図１１】
0003217799.tif 000013
【図１２】
0003217799.tif 000014
【図１３】
0003217799.tif 000015